(57)【要約】【課題】入力手段の設置状態を均一化し、操作性の安定化させるほか、入力手段のリペア性の向上を図る。【解決手段】ケース（操作側筐体４）に形成された開口部（６）内に入力手段（キーボードユニット８）が設置される電子機器（２）であって、支持板（支持板金２２）と、載置板（２４）を含む。支持板は、入力手段の背面側に沿って設置されて入力手段を支持し、平面部分の一部が固定手段によりケースに固定される。載置板は、支持板の平面部分に対する対向面が形成され、対向面によって開口部内を仕切るとともに支持板を載置させる。そして、支持板は、載置板との対向する平面部分に第１の係合部（ブリッジ部３４）が形成される。載置板は、開口部への入力手段の着脱に応じて第１の係合部に対する係合と係合解除を切替可能な第２の係合部（フック部３６）が形成される。第２の係合部と第１の係合部の係合により入力手段との間隔を維持させる。【選択図】    図２
2015088038.tif 000002
【特許請求の範囲】
【請求項１】
ケースに形成された開口部内に入力手段が設置される電子機器であって、
前記入力手段の背面側に沿って設置されて前記入力手段を支持し、平面部分の一部が固定手段により前記ケースに固定される支持板と、
前記支持板の平面部分に対する対向面が形成され、該対向面によって開口部内を仕切るとともに前記支持板を載置させる載置板と、
を備え、
前記支持板は、前記載置板との対向する平面部分に第１の係合部が形成され、
前記載置板は、前記開口部への前記入力手段の着脱に応じて前記第１の係合部に対する係合と係合解除を切替可能な第２の係合部が形成され、該第２の係合部と前記第１の係合部の係合により前記入力手段との間隔を維持させることを特徴とする電子機器。
【請求項２】
前記第１の係合部と前記第２の係合部は、負荷に対し弾性変形可能なアームを含むフック部と、前記フック部の一部に接触させ、負荷に対する前記アームの弾性力により前記フック部との接触状態を維持するブリッジ部を含むことを特徴とする、請求項１に記載の電子機器。
【請求項３】
前記ケースは、固定された前記入力手段または前記支持板の一部を、前記開口部に対して背面側から露出させる操作孔が形成され、
前記支持板は、前記操作孔からの押圧負荷を受けて一部が変形し、この変形部分に対する前記開口部側からの引張り力を受け、該引張り力が前記第２の係合部の係合力を超えたとき、係合解除されることを特徴とする請求項１または請求項２に記載の電子機器。
【発明の詳細な説明】
【技術分野】
【０００１】
本開示の技術は、電子機器のケースに設置される入力手段の設置構造に関する。
【背景技術】
【０００２】
ノート型のＰＣ（Personal Computer）やモバイル端末装置などの電子機器では、ケース内部に多数の電子部品や基板などが収納されており、その上面部分にキーボードユニットなどの入力手段が配置されるものがある。ケースは、外装側に入力手段を嵌め込ませることで、入力手段の操作面側を外部に露出させるように形成されている。電子機器は、デザイン性や携帯性を向上させるため全体形状が薄型化や小型化されており、ケース内部の収納スペースも小さくなっており、それに伴って入力手段が薄型の板状に形成されるものがある。
【０００３】
電子機器は、このような板状の入力手段の設置に関し、たとえばケースの背面側から入力手段の背面側の一部に対してネジなどの固定手段を利用して固定するものが知られている。そのほか、入力手段は、一部に形成された突起部をケースに形成された開口部内に挿入させることで、ケースによって固定されるものがある。
【０００４】
このようなケースに対する入力手段の設置構造に関し、位置決め穴を有する筐体に対し、キーボードユニットの一部に形成された突起を位置決め穴に挿入させることで、ケースによってキーボードユニットを固定するとともに、位置決めを行うものが知られている（たとえば、特許文献１）。
【先行技術文献】
【特許文献】
【０００５】
【特許文献１】特開２０１３−２０５９３８号公報
【発明の概要】
【発明が解決しようとする課題】
【０００６】
ところで、薄型で板状の入力手段は、剛性が低く変形し易い状態となっているため、たとえば背面側に板金などを貼り合わせることで一体化による剛性によって支持されるが、電子機器のケースに対する固定状態により撓みなどが生じ、水平状態に設置できない場合がある。入力手段の撓みは、たとえばケースの開口部の寸法誤差や周面に形成される係止部品の位置や、入力手段を支持する力の誤差などにより生じる。撓みが生じた入力手段は、たとえば押下操作が行われるとキーが沈むのに伴い、その押下による力で撓んだ部分も変形する。これにより利用者は、キーを押下した感覚が得られない場合があるほか、押下するキーごとに異なる操作感を受けることになる。入力手段に対する操作感の低下は、たとえば利用者に押下不足や誤操作であったと錯覚させて複数回のキー操作を行わせるなど、電子機器の利便性の低下を招くことになる。
【０００７】
このような撓みの発生に対し電子機器は、たとえばネジなどの固定手段によって入力手段をケースに固定させることで、入力手段に剛性をもたせるものがある。しかし、ケースは、収納エリアの狭小化や、多機能化による搭載部品の増加などにより、入力手段の全体に対して均等に固定部品を配置させることができないという課題がある。また、入力手段を均等に支持させるには、多数の固定部品が必要になり、部品数の増加や組立てまたは分解処理の工数を増加させることになる。
【０００８】
入力手段の固定には、たとえばケースとの間に対し、撓みが生じる部分に両面テープなどの接着手段を利用して固定させるものがあった。しかし接着手段を利用する場合、たとえば電子機器の組立処理において、入力手段の撓みの発生位置に応じて貼付位置の決定や調整を行う必要があり、組立て処理の煩雑化、工数や時間の増加などを生じるという課題がある。また、入力手段の交換や修理を行う場合、接着部材の貼付位置や接着強度を確認しながら剥離させる必要がある。適切な状態で剥離を行わなければ入力手段の破損を招くなどの不都合があるほか、部品に粘着材が残留するなど、作業の複雑化や部品の再利用性の低下を招く恐れがあるという課題がある。
【０００９】
そこで、本開示の技術は、上記課題に鑑み、入力手段の設置状態を均一化し、操作性の安定化を図ることを第１の目的とする。
【００１０】
また本開示の技術は、電子機器に設置される入力手段のリペア性の向上を図ることを第２の目的とする。
【課題を解決するための手段】
【００１１】
上記目的を達成するため、本開示の構成の一側面は、ケースに形成された開口部内に入力手段が設置される電子機器であって、支持板と、載置板を含む。支持板は、前記入力手段の背面側に沿って設置されて前記入力手段を支持し、平面部分の一部が固定手段により前記ケースに固定される。載置板は、前記支持板の平面部分に対する対向面が形成され、該対向面によって開口部内を仕切るとともに前記支持板を載置させる。そして、前記支持板は、前記載置板との対向する平面部分に第１の係合部が形成される。前記載置板は、前記開口部への前記入力手段の着脱に応じて前記第１の係合部に対する係合と係合解除を切替可能な第２の係合部が形成される。該第２の係合部と前記第１の係合部の係合により前記入力手段との間隔を維持させる。
【発明の効果】
【００１２】
本開示の技術によれば、次のいずれかの効果が得られる。
【００１３】
(1) ケースに対して適切な状態で入力手段を固定でき、撓みの発生が抑えられる。
【００１４】
(2) ケースに対する入力手段の設置間隔が保持され、押下位置に応じて操作感の相違が生じるのを防ぐことがきる。
【００１５】
(3) ケースに対する入力手段の設置処理、または分解処理の容易化および工程の簡素化が図れる。
【００１６】
そして、本開示の技術の他の目的、特徴および利点は、添付図面および各実施の形態を参照することにより、一層明確になるであろう。
【図面の簡単な説明】
【００１７】
【図１】第１の実施の形態に係る電子機器の外観構成例を示している。
【図２】ケースに対する支持板金の設置状態の一例を示す図である。
【図３】支持板金の係合状態の一例を示す図である。
【図４】操作側筐体の内部構成例を示す分解図である。
【図５】キーボードユニットに対する支持板金の構成例を示す図である。
【図６】支持板金の背面側の構成例を示す図である。
【図７】キーボードユニットに支持板金を設置させた状態例を示す図である。
【図８】操作側筐体の内部に形成される載置板の構成例を示す図である。
【図９】ブリッジ部の構成例を示す図である。
【図１０】フック部の構成例を示す図である。
【図１１】ブリッジ部とフック部の係合状態の一例を示す図である。
【図１２】フック部とブリッジ部の係合状態を指示板の支持面側から示す図である。
【図１３】フック部とブリッジ部の係合によりキーボードユニットからの負荷に対抗する状態例を示す図である。
【図１４】図１のＡ−Ａ線断面を示す図である。
【図１５】図１のＣ−Ｃ線断面を示す図である。
【図１６】第２の実施の形態に係る電子機器の係合解除の一例を示す図である。
【図１７】ボトムカバーの背面構成例を示す図である。
【図１８】アッパーカバーの背面構成例を示す図である。
【図１９】電子機器の分解処理の一例を示すフローチャートである。
【図２０】フック部の変形例を示す図である。
【図２１】フック部の変形例を示す図である。
【発明を実施するための形態】
【００１８】
〔第１の実施の形態〕
【００１９】
図１は、第１の実施の形態に係る電子機器の外観構成例を示している。
【００２０】
図１に示す電子機器２は、本開示の電子機器の一例であり、たとえばノート型ＰＣや携帯電話機、携帯端末装置などが含まれる。電子機器２は、たとえば操作側筐体４の上面側の開口部６からキーボードユニット８の操作面を露出させている。この操作側筐体４は本開示のケースの一例である。操作側筐体４の上面部分には、たとえばタッチパッド１０や電源ボタン１２のほか、図示しない表示ランプなどの表示手段が設置されればよい。また、操作側筐体４は、たとえば側面側にＯＤＤ（Optical Disk Drive）ユニット１４や外部コネクタなどが配置される。操作側筐体４は、表示手段を搭載した表示側筐体１６がヒンジ１８を介して開閉可能に接続されている。表示側筐体１６には、たとえば表示手段としてＬＣＤ（Liquid Crystal Display）ユニットなどが搭載されており、生成された画像や映像などの表示に利用される。
【００２１】
キーボードユニット８は、本開示の入力手段の一例であり、前面側に入力キーが割り付けられた多数のキー２０が配置されている。操作側筐体４の開口部６内には、たとえば上部側にキーボードユニット８やその他の機能部品を収納する第１の収納部３７（図４）と、この第１の収納部３７の底部側に、電子機器２を動作させるコンピュータ機能部品などやドライブ装置などを収納する第２の収納部３８（図４）が形成されている。
【００２２】
＜操作側筐体４内に対する支持板金の設置状態について＞
【００２３】
操作側筐体４は、たとえば図２に示すように、開口部６内に支持板金２２が配置され、筐体内部に形成された載置板２４に固定設置される。支持板金２２は、本開示の支持板の一例であり、平面部分の支持面２６をキーボードユニット８の背面側に設置させることで、キーボードユニット８を一定の剛性をもたせて支持する。支持板金２２は、たとえば平面部分に固定孔２８が形成されており、操作側筐体４に対して固定ネジ３０で設置固定される。この固定ネジ３０は、本開示の固定手段の一例である。支持板金２２を操作側筐体４に固定する固定手段はネジに限られず、ボルトおよびナットを組み合わせてもよく、または接着剤やテープなどを介して固定させてもよい。
【００２４】
載置板２４は、支持板金２２の平面部分に対して形成された対向面により、支持板金２２を介してキーボードユニット８を載置させて支持する手段の一例である。載置板２４は、たとえば剛性とともに一定の弾性をもった樹脂材料または弾性変形可能な厚さの金属などで形成される。
【００２５】
支持板金２２および載置板２４には、対向する平面部分に複数の係合機構３２が形成されており、載置板２４に対して支持板金２２が載置されると係合機構３２が係合状態となる。係合機構３２は、たとえば操作側筐体４に固定された載置板２４により支持板金２２を平板状に維持させるように支持する手段の一例である。係合機構３２は、たとえば支持板２２の外周側や角部のほか、平面部分に対して前後左右に同等な間隔で配置すればよい。この載置板２４は、たとえば支持板２２を固定する固定ネジ３０によって共締めされてもよく、または固定ネジ３０を通過させる開口部が形成されてもよい。
【００２６】
＜係合機構３２について＞
【００２７】
係合機構３２は、支持板金２２の一部と載置板２４の一部とを積層状態に配置し、その積層部分で接触させ、または支持板金２２と載置板２４が上下または左右方向に変位した時に接触させるように形成される。係合機構３２は、たとえば図３に示すように、第１の係合部として支持板金２２の平面部分の一部を載置板２４との対向面側に突出させたブリッジ部３４と、第２の係合部として載置板２４に対し、支持板金２２との対向面部の一部を「Ｌ」字形に形成したフック部３６が形成される。そして支持板金２２が載置板２４上に配置されると、たとえばブリッジ部３４の頂面部分がフック部３６の下部側に配置され、載置板筋２４と係合状態となり、または支持板金２２の変位に応じて係合可能な状態となる。
【００２８】
係合機構３２は、操作側筐体４の開口部６に配置されたキーボードユニット８の平板部分に生じた撓みなどの変形に伴って支持板金２２が変形したときに、フック部３６がブリッジ部を支持する。これにより、操作側筐体４は、キーボードユニット８の一部に設置による負荷が生じても、載置板２４に対する支持板金２２およびキーボードユニット８の平面部分との距離が所定の範囲内に維持される。
【００２９】
なお、載置板２４は、対向面の全面が支持板金２２の平面部分に接触するものに限られず、対向面の一部のみが支持板金２２の平面部分に接触するように形成されてもよい。このような載置状態の場合、係合機構３２は、ブリッジ部３４がフック部３６の底面側に配置されるようにブリッジ部３４の突出量が設定され、またはフック部３６を上方に傾斜させればよい。
【００３０】
＜操作側筐体４の内部構成について＞
【００３１】
図４は、操作側筐体の内部構成の一例を示す分解図である。
【００３２】
操作側筐体４は、たとえば図４に示すように外装ケースとしてアッパーカバー４０とボトムカバー４２とが上下に接合して形成される。アッパーカバー４０には、上面部分の一部に開口部６が開口しており、その開口部６内にキーボードユニット８や支持板金２２を収納する第１の収納部３７が形成される。
【００３３】
載置板２４は、たとえばアッパーカバー４０の開口部６側に形成される。載置板２４は、たとえばアッパーカバー４０と一体に形成してもよく、または別部品で形成した載置板２４をアッパーカバー４０の周縁側にネジなどで固定してもよく、または溶接や接着剤を介して固定してもよい。載置板２４は、たとえば支持板金２２に対する対向面部がアッパーカバー４０内の開口部６の全面に亘って配置され、ボトムカバー４２内の第２の収納部３８との間を仕切る。
【００３４】
この載置板２４は、たとえば平面部分に通気孔４８や挿通孔５０が複数形成されており、電子機器２内の冷却機能を発揮させるほか、キーボードユニット８などと接続するケーブル類の配線などが行われる。
【００３５】
ボトムカバー４２には、たとえば電子機器２を機能動作させるコンピュータ部品が実装された基板４５やＯＤＤユニット１４その他のドライブ装置、空冷用のファン４４、バッテリなどが収納される第２の収納部３８が形成される。第２の収納部３８に収納される電子部品は、それぞれ機能や外観構成が異なり、アッパーカバー４０や載置板２４に対する配置高さや幅などがそれぞれ異なる。このような部品の設置高さの相違状態に対し、載置板２４は、通気孔４８や挿通孔５０の形成位置や形成高さを異ならせることで、実装部品との接触を回避している。
【００３６】
また、ボトムカバー４２には、たとえば背面側から挿通された固定ネジ３０を所定の高さで導出させる貫通孔４６が形成されている。この貫通孔４６は、ボトムカバー４２がアッパーカバー４０と接合したときに、固定ネジ３０が支持板金２２の固定孔２８で締結可能な高さに形成される。貫通孔４６は、ボトムカバー４２と一体に形成されてもよく、または別部品をボトムカバー４２に設置させてもよい。
【００３７】
なお、固定ネジ３０は、ボトムカバー４２と支持板金２２のみを締結させる場合に限られず、第２の収納部３８内に収納された基板４５やその他の部品も共に固定してもよい。そして固定ネジ３０によってボトムカバー４２に固定されることで、支持板金２２はキーボードユニット８を強固に支持することができる。
【００３８】
＜キーボードユニット８および支持板金２２の構成例について＞
【００３９】
キーボードユニット８は、たとえば図５に示すように、上面側に文字や記号などが割り付けられた複数のキー２０が所定の間隔で配列されている。そしてキーボードユニット８の背面側には、たとえば配置されたキー２０の位置に応じて押下状態やキーへの接触状態を検出するセンサユニットが積層されている。このセンサユニットは、たとえば接続ケーブル５４（図７）を介して基板４５に接続される。
【００４０】
またキーボードユニット８の背面側には、たとえば薄型化したキーボードユニット８の形状の維持や、押下操作に対して変形させないように剛性支持する板金などがはりつけられてもよい。
【００４１】
支持板金２２は、支持面２６上にキーボードユニット８の背面側を接触させて固定支持する。支持板金２２とキーボードユニット８との間には、たとえば図示しない接着剤や粘着テープが塗布され、接着固定されればよい。
【００４２】
そのほか支持板金２２には、たとえば平面部分を上方または下方に突出させた段差部５２が形成されている。この段差部５２は、たとえば載置板２４の形状に合わせて形成されており、第２の収納部３８内に搭載される電子部品との干渉を回避している。そしてこの段差部５２には、係合機構３２を構成するブリッジ部３４を形成しない。すなわち係合機構３２は、キーボードユニット８に対する支持力を大きく得るため、キーボードユニット８と接触する平面部分に形成される。
【００４３】
支持板金２２は、図６に示すように背面側に固定ネジ３０を締結させる固定孔２８が形成される。固定孔２８は、たとえば載置板２４の挿通孔５０内まで突出させて締結させるように突出させたスタッド（Stud）で形成される。
【００４４】
支持板金２２は、たとえば長辺と短辺を備えるキーボードユニット８と同様に長辺および短辺をもって形成されている。ブリッジ部３４は、たとえば支持板金２２の短辺方向に沿って突出部が形成され、この長辺方向から載置板２４のフック部３６が係合される。ブリッジ部３４の突出部の形成方向は、たとえば支持板金２２の短辺方向に限られず、長辺方向に沿って突出部を形成してもよい。ブリッジ部３４は、たとえば開口部６に設置されるキーボードユニット８の固定状態により撓みが生じやすい方向に合わせて形成方向が設定されればよい。
【００４５】
支持板金２２は、たとえば図７に示すように、キーボードユニット８の外形と同等または小さく形成されており、キーボードユニット８との接触面を支持している。キーボードユニット８の周面の一部または全周には、たとえば開口部６の周縁側に係止させる爪部５６が形成されてもよい。従って、支持板金２２は、たとえば爪部５６が開口部６の周縁側でアッパーカバー４０の一部と接触する部分を避けてキーボードユニット８の背面側に接触し、支持すればよい。
【００４６】
さらに、キーボードユニット８の撓みなどの変形を阻止するための固定孔２８およびブリッジ部３４は、たとえばキーボードユニット８の短辺方向に対して２つずつ一定の間隔をもたせて配置されている。特に、ブリッジ部３４は、キーボードユニット８の４つの角部に近接させるとともに、キーボードユニット８の押下操作頻度が高い中央側に対して長辺方向に沿って複数個ずつ一定の間隔で配置させる。これによりキーボードユニット８は、外周側を爪部５６によってアッパーカバー４０に支持させ、角部および撓み易い中央部分を固定ネジ３０および係合機構３２によって支持することで、平面側の全面を略同等の支持状態にすることができる。
【００４７】
そのほか、支持板金２２は、たとえばキーボードユニット８に形成され、またはキーボードユニット８に外部から接続させる接続ケーブル５４などを配線するために、その接続位置に合わせて一部を切り欠き形状に形成してもよい。
【００４８】
＜載置板２４の構成例について＞
【００４９】
載置板２４は、たとえば図８に示すように、支持板金２２との対向面上において、支持板金２２のブリッジ部３４と対を成す位置にフック部３６が形成される。ブリッジ部３４とフック部３６による係合機構３２は、装置内部の実装部品との干渉により固定ネジ３０による締結が行えない部分に形成される。またフック部３６は、たとえば載置板２４による支持強度が低い部分に形成される。具体的には、フック部３６は、ファン４４との対向面に形成される通気孔や、電子部品を接続するフレキシブルケーブルなどを通過させる挿通孔５０の周囲に合わせて係合位置が設定される。
【００５０】
なお、係合機構３２は、支持板金２２および載置板２４の形状によりブリッジ部３４とフック部３６の両方が形成可能な位置に形成されるものである。従って、係合機構３２の形成位置の決定では、ブリッジ部３４とフック部３６のいずれかに優先性をもたせるものではない。
【００５１】
＜係合機構３２の構成例および係合処理について＞
【００５２】
ブリッジ部３４は、たとえば図９に示すように、支持板金２２の支持面２６に対し幅広な挿通孔６０が形成され、その挿通孔６０の対向辺側から挿通孔６０よりも狭小な突出部が形成される。ブリッジ部３４は、たとえば支持板金２２と同等または異なる材料であって、金属または樹脂材料が用いられており、支持板金２２の加工処理においてプレス加工や鋳造などにより形成される。突出部は、たとえば頂点部分を一定の長さの平面で形成した支持片６１が形成される。支持片６１は、フック部３６と接触させて載置板２４により支持板金２２を支持させる。
【００５３】
挿通孔６０の幅Ｗ２は、たとえば支持片６１の幅Ｗ１の左右両側にフック部３６が挿通可能な幅で形成されている。また支持片６１の突出高さＨ１は、たとえば係合されるフック部３６の厚さよりも大きく設定されるほか、載置される載置板２４の厚さに応じて設定される。支持片６１は、支持板金２２が載置板２４に載置されると、フック部３６の挿通孔６２（図１０）内に配置される。このとき支持片６１は、操作側筐体４の第２の収納部３８側に向けて突出することから、先端部が他の電子部品に接触させないように突出高さＨ１が設定される。
【００５４】
フック部３６は、たとえば図１０に示すように、載置板２４の一部に短辺と長辺をもった四角形状の挿通孔６２が形成され、その内部に対向する短辺側からそれぞれ所定の長さＬ１のアーム６４が形成される。このアーム６４は、たとえば挿通孔６２の長辺に対して平行に形成される。また対向する短辺から形成されたアーム６４は、直線上に形成されず、左右に一定の間隔をもって形成される。アーム６４は、それぞれ短辺側から片持ち梁状に形成されているとともに、短辺上で中心に形成させず、それぞれ左右の端部側にずらして形成される。
【００５５】
アーム６４は、先端部６６をそれぞれ対向させるように、所定の長さで「Ｌ」字型に屈曲させている。この先端部６６は、係合時にブリッジ部３４の支持片６１に係止される。またアーム６４の一部および先端部６６には、たとえば前面および背面の周面部分にテーパ（Taper）が形成されている。これによりブリッジ部３４とフック部３６とが係合する場合、支持片６１とアーム６４との接触抵抗を減らしている。
【００５６】
アーム６４は、ブリッジ部３４と係合するときに、所定の負荷により弾性変形可能な剛性をもたせる必要がある。そこで、アーム６４は、たとえば載置板２４の材質および係合時の負荷に対する許容応力などにより長さＬ１や厚さが設定される。アーム６４は、たとえば剛性の高い材料で形成される場合に薄く形成するほか、自由端側での変形を考慮して長さを設定すればよい。挿通孔６２の短辺側の幅Ｗ３および長辺側の長さＬ２は、たとえばブリッジ部３４の挿通孔６０と同等に設定されればよく、少なくとも、挿通孔６２の内部にブリッジ部３４の突起部が進入可能な大きさに形成されればよい。
【００５７】
ブリッジ部３４とフック部３６の係合は、たとえば図１１のＡに示すように、キーボードユニット８とともに支持板金２２が載置板２４側に向けて近接される。ブリッジ部３４とフック部３６は、キーボードユニット８の設置位置に基づいて設定される支持板金２２と載置板２４とで対になるように配置位置が設定されている。
【００５８】
キーボードユニット８がアッパーカバー４０の開口部６内に収納されると、たとえば図１１のＢに示すように、ブリッジ部３４の支持片６１の前面側の一部がフック部３６の先端部６６に接触する。そしてフック部３６は、さらに支持板金２２が載置板２４側に近接すると、アーム６４がたとえば支持片６１との接触部分からの押圧力により左右側に拡開し、または支持板金２２の挿入方向に沿って弾性変形することで、支持片６１を挿通孔６２内に進入させる。このとき先端部６６は、周縁側のテーパ面で支持片６１の側面側を摺動させる。
【００５９】
そしてアーム６４は、図１２のＡに示すように、支持片６１が挿通孔６２内の一定の位置まで進入したときに、接触が解除されて初期位置に弾性復帰する。またフック部３６は、支持板金２２と載置板２４との接触を解除する場合、ブリッジ部３４が離間方向に引張られるのに応じて、アーム６４を支持片６１に沿って弾性変形させて摺動する。すなわち係合機構３２は、開口部６へのキーボードユニット８の着脱に対し、ブリッジ部３４とフック部３６の係合と係合解除を切替え可能に形成されている。
【００６０】
フック部３６は、たとえばブリッジ部３４との係合状態を可能にするために、挿通孔６２内において２本のアーム６４の間隔を、挿通させる支持片６１の幅Ｗ１と同等または広く設定している。アーム６４は、アーム６４間の形成間隔により、ブリッジ部３４を左右から挟み込むことで、支持板金２２の左右方向への変位や変形を阻止することができる。また先端部６６の間隔Ｗ４は、たとえばアーム６４間を挿通させる支持片６１に対する接触量を決定する。すなわち、先端部６６の間隔Ｗ４を小さくとると、支持片６１と先端部６６との接触面積が大きくなり、係合機構３２の係合強度が高くなる。しかし、ブリッジ部３４を着脱させる場合、フック部３６の変形量を大きくとることから、着脱の切替え性が低くなる場合がある。従って、アーム６４や先端部６６の形成幅は、たとえばアーム６４の材質などの弾性強度や、支持片６１との接触量に応じて設定されればよい。
【００６１】
フック部３６は、たとえば図１２のＢに示すように、先端部６６がブリッジ部３４の傾斜部分を介して支持片６１よりも上面側に配置される。支持片６１は、たとえば突出高さＨ１（図９）に応じてその平面部分に先端部６６が接触状態なるように形成してもよい。
【００６２】
＜係合機構３２によるキーボードユニット８の支持構造について＞
【００６３】
アッパーカバー４０に配置されたキーボードユニット８は、たとえば開口部６の形状誤差や背面側の図示しない板金の設置状態、または周縁側の爪部５６とアッパーカバー４０の一部との係合状態などにより部分的に撓みが生じる場合がある。この撓みによる負荷がキーボードユニット８を支持する支持板金２２の支持強度を超えた場合、支持板金２２は、たとえば図１３のＡに示すように、支持面２６が上方に変形する。
【００６４】
このとき、係合機構３２は、たとえば図１３のＢに示すように、支持板金２２の変形によるブリッジ部３６の上方や左右方向への変位に対し、支持片６１にアーム６４や先端部６６を接触させている。このときフック部３６は、支持板金２２に作用する変形負荷に対し、アーム６４の弾性力や載置板２４の剛性などの支持力Ｆ１により、ブリッジ部３４を支持し、接触状態を維持させる。これにより載置板２４は、係合機構３２によって支持板金２２の変形を抑えることで、キーボードユニット８との配置間隔を一定状態に維持させることができる。
【００６５】
なお、この実施の形態で示すフック部３６は、アーム６４同士を挿通孔６２の短辺方向で隣接させないように長さＬ１が形成されている。すなわち挿通孔６２の長辺側の長さＬ２は、アーム６４の長さＬ１同士の合計よりも長く設定されているが、これに限られない。フック部３６は、先端部６６同士またはアーム６４同士を隣接させるように長さＬ１を設定してもよい。この場合、アーム６４は、先端部６６がブリッジ部３４の支持片６１に接触可能な位置に配置させるように長さが設定されればよい。
【００６６】
＜電子機器２内部の配置構成について＞
【００６７】
図１４および図１５は、操作側筐体４の内部構成例を示す断面図である。
【００６８】
操作側筐体４は、たとえば図１４に示すように、支持板金２２を載置させる載置板２４の背面側であって、ボトムカバー４２によって形成された第２の収納部３８にＯＤＤユニット１４や基板４５などの電子部品が収納される。これらの電子部品は、たとえば電子機器の薄型化や小型に伴い、第２の収納部３８内において少ない隙間で、さらに上部側が載置板２４の近傍まで配置される。そのため電子機器２は、たとえばボトムカバー４２に対し内部の電子部品とともに支持板金２２を共締めし、一体化して固定するための固定ネジ３０の配置スペースが限られている。
【００６９】
電子機器２は、たとえば支持板金２２を含む内部部品を固定ネジ３０によって一体化させるための固定手段として少なくとも２つの固定ネジ３０を締結させている。そして固定ネジ３０は、たとえば操作側筐体４の長辺方向に対し、中央側に設定することで、平板状の支持板金２２の平面部分のうち撓み易い中央側を強固に支持させる。固定ネジ３０は、たとえば支持板金２２の一面に形成されたスタッド（固定孔２８）が載置板２４を貫通し、第２の収納部３８内まで突出され、締結される。
【００７０】
電子機器２は、たとえばこの固定ネジ３０の締結位置に対し、長辺方向の端部側に向けて所定の間隔を持って係合機構３２が形成されている。
【００７１】
また電子機器２は、たとえば操作側筐体４の短辺側に対し、２つの係合機構３２が一定の間隔を持って形成されている。係合機構３２の形成数や配置間隔は、たとえば支持板金２２およびキーボードユニット８の撓み状態やキーボードユニット８の辺の長さなどにより設定すればよい。
【００７２】
これによりボトムカバー４２と一体化された載置板２４は、支持板金２２との対向面の全面に亘って略均等に支持でき、キーボードユニット８の撓みなどによる変形が生じた場合でも支持板金２２との間隔を一定に維持させ、平板状に保持させる。
【００７３】
斯かる構成によれば、操作側筐体４に対してキーボードユニット８を適切な状態で固定設置でき、撓みの発生が抑えられる。載置板２４に対するキーボードユニット８の設置間隔が保持され、押下位置に応じて操作感の相違が生じるのを防ぐことがきる。操作側筐体４に対するキーボードユニット８の設置処理、または分解処理の容易化および工程の簡素化が図れる。
【００７４】
〔第２の実施の形態〕
【００７５】
図１６は、第２の実施の形態に係る電子機器の係合解除の一例を示している。
【００７６】
支持板金２２は、図１６のＡに示すように、平板面の一部に複数形成されたブリッジ部３４を対向面側に配置される載置面２４のフック部３６に係合させた係合機構３２により支持される。この係合機構３２は、たとえば支持板金２２の支持面２６側に設置される図示しないキーボードユニット８の変形による負荷によるブリッジ部３４の変位に対し、フック部３６のアーム６６がブリッジ部３４の支持片６１に接触して支持する。すなわち係合機構３２は、支持板金２２に作用する所定の変位負荷に対し、アーム６４の剛性または弾性による復元力を持って係合状態が維持される。
【００７７】
さらに、この係合機構３２は、たとえば支持板金２２およびキーボードユニット８が剥離方向に所定以上の引張り負荷を受けた場合、係合を解除可能に形成されている。係合機構３２は、たとえばアーム６４の材質や厚さなどの形状特性とともに、支持片６１に対する先端部６６の接触面積などにより、支持板金２２に対する支持能力が設定される。そこで、アーム６４は、たとえば所定の負荷以上を受けた場合、弾性変形するように設定するとともに、先端部６６の接触面積を小さくすると、アーム６４が変形したときに支持片６１との係合を解除し易くなる。
【００７８】
係合機構３２の解除は、たとえば電子機器２の分解処理やキーボードユニット８の交換、または内部部品のメンテナンスなどを行う場合に実行される。係合機構３２は、たとえば図１６のＢに示すように、支持板金２２が載置板２４に対して離間する方向に所定の大きさの引張り負荷が与えられると、支持片６１によって先端部６６が引張られるとともにアーム６４が拡開する。そして支持片６１は、先端部６６の周面に沿って摺動し、係合状態が解除される。
【００７９】
＜支持板金２２に対する引張り負荷の付与について＞
【００８０】
図１７は、ボトムカバーの背面構成例を示している。また図１８は、アッパーカバーの背面構成例を示している。
【００８１】
キーボードユニット８の分離処理では、たとえば係合機構３２の係合解除として、載置板２４に対し支持板金２２を剥離方向に引張る操作を行う。操作側筐体４は、たとえばアッパーカバー４０の開口部６内にキーボードユニット８が収納されている。従って、キーボードユニット８は、たとえば剥離方向に引張るには周縁の隙間などに爪を引っ掛けるほか、工具などを差し込む必要があった。これに対しこの実施の形態に係る電子機器２では、操作側筐体４の背面側から支持板金２２の一部を露出させる操作孔を形成し、この操作孔から支持板金２２を押圧することで開口部６からキーボードユニット８の一部を突出させる。
【００８２】
そこで操作側筐体４は、たとえば図１７に示すように、ボトムカバー４２の背面側の一部を開閉可能な部分カバー７４を設置し、その内部にバッテリなどを収納する収納部７６を形成する。ボトムカバー４２は、たとえば平面部分の端部側の周囲に複数の挿通孔７２を形成し、この挿通孔７２を通じて固定ネジ７０を挿通させ、図１８に示すようにアッパーカバー４０の周縁側に形成された固定孔８０との間で締結する。これに対し、部分カバー７４は、たとえばボトムカバー４２の一部に係合爪などを形成し、この係合爪によって着脱可能に形成されている。
【００８３】
ボトムカバー４２は、たとえば収納部７６の内部に収納物を載置させる載置面が形成されており、その載置面の一部に操作孔７８が形成されている。この操作孔７８は、本開示の操作孔の一例であり、支持板金２２の背面側の一部がアッパーカバー４０に形成された操作孔７９を通じて露出する。ボトムカバー４２の操作孔７８は、アッパーカバー４０の操作孔と対向するように形成される。
【００８４】
＜電子機器２の分解処理について＞
【００８５】
図１９は、電子機器の分解処理の一例を示すフローチャートである。
【００８６】
電子機器２の分解処理には、図１９に示すように支持板金２２およびキーボードユニット８の分解処理が含まれる。電子機器２は、底面側に対し、ボトムカバー４２から部分カバー７４が取り外される。（Ｓ１）。部分カバー７４は、たとえば爪部品などに対し、押圧やスライド操作により取り外される。部分カバー７４が外れると、収納部７６内に収納されるバッテリなどの部品を取り外す。
【００８７】
支持板金２２の固定解除処理として、ボトムカバー４２の背面側から固定ネジ３０が取り外される（Ｓ２）。固定ネジ３０は、ボトムカバー４２の平面部分に形成された貫通孔４６を通じて設置されており、電子機器２の外部から締結解除を行うことができる。固定ネジ３０が取り外されることで、支持板金２２およびキーボードユニット８は、たとえばアッパーカバー４０の開口部６で周縁部分が接触し、係合機構３２により支持される状態となる。
【００８８】
支持板金２２の固定が解除されると、支持板金２２は、たとえば一部分がボトムケース４２の背面側から操作孔７８に対し挿入された工具によりアッパーカバー４０の開口部６側に向けて押圧される（Ｓ３）。挿入される工具は、たとえば操作孔７８に挿入可能な外形であって、アッパーカバー４０の操作孔７９を貫通し、支持板金２２の平面を押圧する。この押圧を受けた支持板金２２は、たとえば押圧部分やその周縁部分が部分的に開口部６から突出方向に変形する。そして、この変形により、支持板金２２およびキーボードユニット８は、たとえば開口部６の周縁部分との係合や係合機構３２の一部の係合が解除され、支持板金２２とアッパーカバー４２との間に隙間を生じさせ、または隙間を拡大させる。操作孔７９は、たとえば支持板金２２の周縁部分またはそれに近い部分が露出され、押圧される位置に設定されればよい。
【００８９】
そして、この押圧で形成された隙間を通じて、キーボードユニット８を開口部６から剥離方向に引張り負荷をかける（Ｓ４）ことで、係合機構３２の係合状態が解除され、支持板金２２とともにキーボードユニット８が開口部６から取り外される。ボトムカバー４２に形成される操作孔７８は、たとえば押押圧操作において支持板金２２の変形量を大きくさせるために、係合機構３２から離間した位置が露出するように設定されればよい。
【００９０】
斯かる構成によれば、キーボードユニット８や支持板金２２に対して作用する負荷が設定範囲内の場合、載置板２４に対するキーボードユニット８の設置間隔が保持され、押下位置に応じて操作感の相違が生じるのを防ぐことがきる。操作側筐体４に対するキーボードユニット８の設置処理、または剥離処理の容易化および工程の簡素化が図れる。ボトムカバー４２の外部から固定ネジ３０の取り外しを行うとともに、操作孔７８、７９からの押圧を利用して、アッパーカバー４０とボトムカバー４２の接合を解除させずにキーボードユニット８の分解処理が行える。これによりキーボードユニット８の交換や内部部品の交換、またはメンテナンス処理の工程を減らすことができる。
【００９１】
以上説明した実施形態について、その特徴事項や変形例を以下に列挙する。
【００９２】
(1)  本開示の電子機器２では、支持板金２２と載置板２４とを係合機構３２により係合させることで、キーボードユニット８に生じる撓みによるキー２０の浮きを抑えることができる。これによりキーボードユニット８は、支持板金２２により電子機器２に密着して取付けられ、剛性感を持たせることで、キー２０の打鍵時に所謂「フカフカ感」を生じさせず、操作者に不快な感覚を与えることがない。
【００９３】
(2)  またキーボードユニット８は、取り外しによるメンテナンスを可能にするなど、リペア性を持たせるため、開口部６に対し取り外し容易に取付けられる必要がある。本開示の電子機器２では、キーボードユニット８を支持する支持板金２２について、固定ネジ３０により剛性を持って設置させるとともに、内部の実装部品の干渉等で、ネジ固定できないエリアに対し、係合機構３２をもって支持する。この係合機構３２により、キーボードユニット８を安定的に支持できるほか、テープや接着剤などに対して分解性を高めることができる。
【００９４】
(3)  電子機器２は、キーボードユニット８の背面に固定用の支持板金２２が貼り付けられ、その支持板金２２に対し、ネジ固定できない位置にブリッジ部３４を形成する。この支持板金２２は、キーボードユニット８に対する強度補強機能も発揮する。ブリッジ部３４と対をなす位置にフック部３６が形成され、このフック部３６をブリッジ部３４に引込むことで係合させ、固定支持する。フック部３６は、キーボードユニット８の底面に配置される筐体（モールド）であるアッパーカバー４０の一部に形成される。
【００９５】
(4)  ブリッジ部３４とフック部３６は、電子機器２内部に実装部品があり、固定ネジ３０による締結部を設けることが出来ない位置に配置させることで、キーボードユニット８を操作側筐体４に固定できる。これによりキーボードユニット８が支持板金２２を通じて操作側筐体４に均等で十分に固定させることが可能となる。フック部３４は電子機器２の組立時において、押し込み操作だけで取付けができる。またこの係合機構３２は、たとえば電子機器２が前後左右に動いても十分な固定力がある。
【００９６】
(5)  係合機構３２は、電子機器２の保守時において、バッテリを外した装置底面側の保守用の操作孔７８から押し上げられることで取り外し（係合解除）が可能であるため組立性、保守性の向上が可能である。これにより、ブリッジ部３４とフック部３６は、ネジで固定出来ない内部実装部品のある位置で、キーボードユニット８を装置内に強固に固定支持することができる。
【００９７】
(6)  従来追加していたグリップテープなどの対策部品を削除できる。支持板金２２を利用することで、他の機種などとの間でキーボードユニット８の共通化が可能となる。装置レイアウトの制限がなくなる。テープなどを使用しない為、組立性、保守性の向上が図れる。
【００９８】
(7)  支持板金２２は、たとえば平面側の一部に支持するキーボードユニット８に形成された突起部や固定用のスタッドを挿通させる挿通孔が形成されてもよい。支持板金２２は、対応する載置板２４やボトムカバー４２に形成される貫通孔４６を通じて固定ネジ３０で固定可能に形成される。電子機器２は、たとえば他の機種に対応したキーボードユニット８を利用する場合、固定ネジ３０を締結するスタッドが異なる。そこで、支持板金２２は、貫通孔によりキーボードユニット８に形成されたスタッドに代え、形成された固定孔２８を利用してボトムケース４２に固定させる。これにより電子機器２は、支持板金２２によりキーボードユニット８の汎用化が図れる。
【００９９】
(8) 上記実施形態において係合機構３２は、支持板金２２側にブリッジ部３４が形成され、載置板２４側にフック部３６を形成したがこれに限られない。支持板金２２側にフック部を形成し、載置板２４側に形成されたブリッジ部に係止させてもよい。
【０１００】
(9) 上記実施の形態では、支持板金２２の剥離処理について支持板金２２に剥離方向に引張り負荷をかける場合を示したがこれに限られない。支持板金２２は、たとえば載置板２４に対して平行に一定量変位させて係合状態を解除可能にしてもよく、または支持板金２２を傾斜状態に変位させてもよい。係合機構３２は、たとえばブリッジ部３４に対しフック部３６の先端部６６が交差方向に係合されることから、この交差方向または傾斜方向にスライドさせて支持片６１と先端部６６との係合を解除させてもよい。斯かる構成によれば、支持板金２２の剥離処理において、アーム６４の剛性を強く形成しても、係合状態の解除を行うことができ、支持機能の向上を図ることができる。
【０１０１】
(10)  上記実施の形態では、フック部３６は、挿通孔６２において対向する辺からそれぞれアーム６４を平行方向に形成する場合を示したがこれに限らない。フック部８１は、たとえば図２０のＡに示すように、挿通孔６２に対し、一辺から２つのアーム８２、８４が形成されてもよい。このアーム８２の長さＬ３は、たとえばアーム８４の長さＬ４よりも長く形成されている。挿通孔６２の長辺側の長さＬ６は、係合するブリッジ部３４の長さに合わせて設定すればよい。
【０１０２】
このアーム８２、８４は、図２０のＢに示すように、アーム間の長さの差Ｌ５によってブリッジ部３４の支持片６１に異なる２点で接触することで回転方向への変位を阻止するように支持する。またアーム８２、８４は、間隔をもたせることで、支持片６１に一定の大きな力を集中させず、キーボードユニット８の分解処理において、支持片６１との接触によるアーム８２、８４の弾性変形や先端部６６との摺動を可能にする。
【０１０３】
また、フック部９０は、たとえば図２１のＡに示すように、挿通孔６２において、ブリッジ部３４の支持片６１に対して交差方向の辺に対向方向から２つのアーム９２を形成してもよい。このフック部９０は、たとえば支持片６１に対するアーム９２の剛性や弾性力に基づいて挿通孔６２の幅Ｗ３が設定されればよく、また先端部９４までの長さＷ４、Ｗ５が設定されればよい。このアーム９２は、挿通孔６２内において先端部９４同士が離間するように長さが設定される。このときアーム９２は、たとえば図２１のＢに示すように、先端部９４同士の間隔が支持片６１の幅Ｗ１よりも狭くすることで、支持片６１と係合状態となる。そして、先端部９４を離間させることで、キーボードユニット８の分解処理において、支持片６１との係合状態の解除を可能にしている。
【０１０４】
斯かる構成によっても、係合機構３２によりキーボードユニット８を適切な状態で固定設置でき、撓みの発生が抑えられる。載置板２４に対するキーボードユニット８の設置間隔が保持され、押下位置に応じて操作感の相違が生じるのを防ぐことがきる。また、操作側筐体４に対するキーボードユニット８の設置処理、または分解処理の容易化および工程の簡素化が図れる。
【０１０５】
以上、本発明の好ましい実施形態等について説明した。しかし、本開示の技術は上記実施の形態の記載に限定されるものではない。特許請求の範囲に記載され、または明細書に開示された技術の要旨に基づき、当業者において様々な変形や変更が可能であることは勿論である。そして斯かる変形や変更が本開示の技術に含まれることは言うまでもない。
【符号の説明】
【０１０６】
２  電子機器
４  操作側筐体
６  開口部
８  キーボードユニット
１４  ＯＤＤユニット
２０  キー
２２  支持板金
２４  載置板
２６  支持面
２８、８０  固定孔
３０、７０  固定ネジ
３２  係合機構
３４  ブリッジ部
３６、８１、９０  フック部
３７  第１の収納部
３８  第２の収納部
４０  アッパーカバー
４２  ボトムカバー
４４  ファン
４５  基板
４６  貫通孔
４８  通気孔
５０、６０、６２、７２  挿通孔
５６  爪部
６１  支持片
６４、８２、８４、９２  アーム
６６、９４  先端部
７４  部分カバー
７６  収納部
７８、７９  操作孔
【図１】
2015088038.tif 000003
【図２】
2015088038.tif 000004
【図３】
2015088038.tif 000005
【図４】
2015088038.tif 000006
【図５】
2015088038.tif 000007
【図６】
2015088038.tif 000008
【図７】
2015088038.tif 000009
【図８】
2015088038.tif 000010
【図９】
2015088038.tif 000011
【図１０】
2015088038.tif 000012
【図１１】
2015088038.tif 000013
【図１２】
2015088038.tif 000014
【図１３】
2015088038.tif 000015
【図１４】
2015088038.tif 000016
【図１５】
2015088038.tif 000017
【図１６】
2015088038.tif 000018
【図１７】
2015088038.tif 000019
【図１８】
2015088038.tif 000020
【図１９】
2015088038.tif 000021
【図２０】
2015088038.tif 000022
【図２１】
2015088038.tif 000023